【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
オーディオ信号に信号処理を施し出力するオーディオ信号出力装置において、
オーディオ信号を入力する入力手段と、
前記入力手段から入力されたオーディオ信号に第１の補間処理を施し第１の補間オーディオ信号を生成する第１の補間処理手段と、
前記入力手段から入力されたオーディオ信号と前記第１の補間オーディオ信号から１のオーディオ信号を選択する選択手段と、
前記選択手段により選択されたオーディオ信号に補間処理を施す補間処理手段と、
前記補間処理手段に第１の補間処理をさせ第１の補間オーディオ信号を生成する第１の係数を記憶する第１の記憶手段と、
前記補間処理手段に第２の補間処理をさせ第２の補間オーディオ信号を生成する第２の係数を記憶する第２の記憶手段と、
前記補間処理手段に用いられる係数を前記第１の係数と第２の係数とを切り換える切換手段と、
前記補間処理手段により補間処理された補間オーディオ信号を出力する出力手段と、
前記入力手段から入力されるオーディオ信号から高域信号を検出する高域信号検出手段と、
前記高域信号検出手段が高域信号を検出する場合、前記補間処理部が前記入力手段から入力されたオーディオ信号に第１の補間処理を施すように前記選択手段及び前記切換手段を制御し、前記高域信号検出手段が高域信号を検出しない場合、前記補間処理部が前記第１の補間手段から入力された第１の補間オーディオ信号に第２の補間処理を施すように前記選択手段及び前記切換手段を制御する制御手段とを備えることを特徴とするオーディオ信号出力装置。
【請求項２】
オーディオ信号に信号処理を施し出力するオーディオ信号出力装置において、
オーディオ信号を入力する入力手段と、
前記入力手段から入力されたオーディオ信号に第１の補間処理を施し第１の補間オーディオ信号を生成する第１の補間処理手段と、
前記入力手段から入力されたオーディオ信号と前記第１の補間オーディオ信号から１のオーディオ信号を選択する選択手段と、
前記選択手段により選択されたオーディオ信号に補間処理を施す補間処理手段と、
前記補間処理手段に第１の補間処理をさせ第１の補間オーディオ信号を生成する第１の係数を記憶する第１の記憶手段と、
前記補間処理手段に第２の補間処理をさせ第２の補間オーディオ信号を生成する第２の係数を記憶する第２の記憶手段と、
前記補間処理手段に用いられる係数を前記第１の係数と第２の係数とを切り換える切換手段と、
前記補間処理手段により補間処理された補間オーディオ信号を出力する出力手段と、
前記出力手段へ入力する補間オーディオ信号を選択する操作をする操作手段と、
前記操作手段により第１の補間オーディオ信号が選択される場合、前記補間処理部が前記入力手段から入力されたオーディオ信号に第１の補間処理を施すように前記選択手段及び前記切換手段を制御し、前記操作手段により第２の補間オーディオ信号が選択される場合、前記補間処理部が前記第１の補間手段から入力された第１の補間オーディオ信号に第２の補間処理を施すように前記選択手段及び前記切換手段を制御する制御手段とを備えることを特徴とするオーディオ信号出力装置。
【請求項３】
オーディオ信号に信号処理を施し出力するオーディオ信号出力装置において、
記録媒体に記録されたオーディオ信号を再生する再生手段と、
前記再生手段により再生されたオーディオ信号に第１の補間処理を施し第１の補間オーディオ信号を生成する第１の補間処理手段と、
前記再生手段により再生されたオーディオ信号と前記第１の補間オーディオ信号から１のオーディオ信号を選択する選択手段と、
前記選択手段により選択されたオーディオ信号に補間処理を施す補間処理手段と、
前記補間処理手段に第１の補間処理をさせ第１の補間オーディオ信号を生成する第１の係数を記憶する第１の記憶手段と、
前記補間処理手段に第２の補間処理をさせ第２の補間オーディオ信号を生成する第２の係数を記憶する第２の記憶手段と、
前記補間処理手段に用いられる係数を前記第１の係数と第２の係数との間で切り換える切換手段と、
前記補間処理手段により補間処理された補間オーディオ信号を出力する出力手段と、
前記入力手段から入力されるオーディオ信号から高域信号を検出する高域信号検出手段と、
前記高域信号検出手段が高域信号を検出する場合、前記補間処理部が前記再生手段により再生されたオーディオ信号に第１の補間処理を施すように前記選択手段及び前記切換手段を制御し、前記高域信号検出手段が高域信号を検出しない場合、前記補間処理部が前記第１の補間手段から入力された第１の補間オーディオ信号に第２の補間処理を施すように前記選択手段及び前記切換手段を制御する制御手段とを備えることを特徴とするオーディオ信号出力装置。
【請求項４】
オーディオ信号に信号処理を施し出力するオーディオ信号出力装置において、
記録媒体に記録されたオーディオ信号を再生する再生手段と、
前記再生手段により再生されたオーディオ信号に第１の補間処理を施し第１の補間オーディオ信号を生成する第１の補間処理手段と、
前記再生手段により再生されたオーディオ信号と前記第１の補間オーディオ信号から１のオーディオ信号を選択する選択手段と、
前記選択手段により選択されたオーディオ信号に補間処理を施す補間処理手段と、
前記補間処理手段に第１の補間処理をさせ第１の補間オーディオ信号を生成する第１の係数を記憶する第１の記憶手段と、
前記補間処理手段に第２の補間処理をさせ第２の補間オーディオ信号を生成する第２の係数を記憶する第２の記憶手段と、
前記補間処理手段に用いられる係数を前記第１の係数と第２の係数との間で切り換える切換手段と、
前記補間処理手段により補間処理された補間オーディオ信号を出力する出力手段と、
前記出力手段へ入力する補間オーディオ信号を選択する操作をする操作手段と、
前記操作手段により第１の補間オーディオ信号が選択される場合、前記補間処理部が前記再生手段により再生されたオーディオ信号に第１の補間処理を施すように前記選択手段及び前記切換手段を制御し、前記操作手段により第２の補間オーディオ信号が選択される場合、前記補間処理部が前記第１の補間手段から入力された第１の補間オーディオ信号に第２の補間処理を施すように前記選択手段及び前記切換手段を制御する制御手段とを備えることを特徴とするオーディオ信号出力装置。
【手続補正２】
【補正対象書類名】明細書
【補正対象項目名】００２０
【補正方法】変更
【補正の内容】
【００２０】
また、本願の請求項４に記載の発明は、オーディオ信号に信号処理を施し出力するオーディオ信号出力装置において、記録媒体に記録されたオーディオ信号を再生する再生手段と、前記再生手段により再生されたオーディオ信号に第１の補間処理を施し第１の補間オーディオ信号を生成する第１の補間処理手段と、前記再生手段により再生されたオーディオ信号と前記第１の補間オーディオ信号から１のオーディオ信号を選択する選択手段と、前記選択手段により選択されたオーディオ信号に補間処理を施す補間処理手段と、前記補間処理手段に第１の補間処理をさせ第１の補間オーディオ信号を生成する第１の係数を記憶する第１の記憶手段と、前記補間処理手段に第２の補間処理をさせ第２の補間オーディオ信号を生成する第２の係数を記憶する第２の記憶手段と、前記補間処理手段に用いられる係数を前記第１の係数と第２の係数との間で切り換える切換手段と、前記補間処理手段により補間処理された補間オーディオ信号を出力する出力手段と、前記出力手段へ入力する補間オーディオ信号を選択する操作をする操作手段と、前記操作手段により第１の補間オーディオ信号が選択される場合、前記補間処理部が前記再生手段により再生されたオーディオ信号に第１の補間処理を施すように前記選択手段及び前記切換手段を制御し、前記操作手段により第２の補間オーディオ信号が選択される場合、前記補間処理部が前記第１の補間手段から入力された第１の補間オーディオ信号に第２の補間処理を施すように前記選択手段及び前記切換手段を制御する制御手段とを備えることを特徴とする。
【手続補正３】
【補正対象書類名】明細書
【補正対象項目名】００２４
【補正方法】変更
【補正の内容】
【００２４】
出力部４は、図示しないDA変換器を備え、フィルタ回路３から入力されたデジタルオーディオ信号をアナログオーディオ信号に変換する。DA変換器により変換されたアナログオーディオ信号は、図示しない出力端子に接続されたスピーカ等から出力される。制御部５は、入力部１、DSP２、フィルタ回路３及び出力部４を制御する。操作部６は、本実施例のオーディオ信号出力装置を操作するための操作ボタンを備える。
【手続補正４】
【補正対象書類名】明細書
【補正対象項目名】００２６
【補正方法】変更
【補正の内容】
【００２６】
再生部７は、CDやDVD等のディスクに記録されたデジタルオーディオ信号を読み取る。再生部７により読み取られたデジタルオーディオ信号は、DSP２及びフィルタ回路３によって所定の信号処理が施され、出力部４によりアナログオーディオ信号に変換され、図示しないスピーカ等から出力される。
【手続補正５】
【補正対象書類名】明細書
【補正対象項目名】００２８
【補正方法】変更
【補正の内容】
【００２８】
図３に示すバッファ１１は、DSP２から出力されたデジタルオーディオ信号を一時的に保持する。バッファ１１に保持されたデジタルオーディオ信号は、零補間処理部１２及びセレクタ１４に入力される。零補間処理部１２は、第１の補間処理手段であり、入力されたデジタルオーディオ信号に零補間処理によるオーバーサンプリング処理を施す。零補間処理部１２は、一般的なFIR（Finite Impulse Response）フィルタとして構成される。なお、零補間処理では、サンプリング点の間にゼロ信号を追加することによって、補間（オーバーサンプリング）をすることができる。
【手続補正６】
【補正対象書類名】明細書
【補正対象項目名】００４６
【補正方法】変更
【補正の内容】
【００４６】
シフトレジスタ２６は、高域信号パターン検出部２０から入力される連続する４つの検出結果データ（図６に示すQa，Qb，Qc，Qd）を記憶する。シフトレジスタ２６は、デジタルオーディオ信号のサンプリング周波数（本実施例では44.1ｋHz）fsの動作クロックのパルスが入力されるごとに、記憶する検出結果データをシフトするとともに、次の検出結果データを記憶する。上述したように、高域信号パターン検出部２０から入力される検出結果データは、高域信号パターンが検出されると「１」となり、高域信号パターンが検出されないと「０」になる。
【手続補正７】
【補正対象書類名】図面
【補正対象項目名】図２
【補正方法】変更
【補正の内容】
【図２】
2007093678.tif 000001